(57)【特許請求の範囲】
【請求項１】
主面上に磁気記録媒体層を有するディスク部および前記ディスク部の前記主面とは反対側の面に一体化された回転軸部からなる回転ディスクと、
前記回転ディスクを回転駆動させるステータおよび回転磁石と、
前記磁気記録媒体層のデータエリアに対応させて、前記ディスク部と部分的に接合されると共に、前記ディスク部の前記磁気記録媒体層の反対の面側に配置された磁性材料よりなり、前記回転磁石が取り付けられてなる円環状のバックヨークと
を具備し、
前記ディスク部と前記バックヨークとが前記バックヨークの少なくとも内周部と外周部とにおいて接合され、前記内周部での接合点数が前記外周部での接合点数よりも多いディスク装置。
【請求項２】
主面上に磁気記録媒体層を有するディスク部および前記ディスク部の前記主面とは反対側の面に一体化された回転軸部からなる回転ディスクと、
前記回転ディスクを回転駆動させるステータおよび回転磁石と、
前記磁気記録媒体層のデータエリアに対応させて、前記ディスク部と部分的に接合されると共に、前記ディスク部の前記磁気記録媒体層の反対の面側に配置され、磁性材料よりなり、前記回転磁石が取り付けられてなる円環状のバックヨークと
を具備し、
前記ディスク部と前記バックヨークとが前記バックヨークの少なくとも内周部と外周部とその中間部とにおいて接合され、前記中間部での接合点数が前記内周部および前記外周部の少なくともいずれか一方での接合点数よりも多いディスク装置。
【請求項３】
主面上に磁気記録媒体層を有するディスク部および前記ディスク部の前記主面とは反対側の面に一体化された回転軸部からなる回転ディスクと、
前記回転ディスクを回転駆動させるステータおよび回転磁石と、
前記磁気記録媒体層のデータエリアに対応させて、前記ディスク部と部分的に接合されると共に、前記ディスク部の前記磁気記録媒体層の反対の面側に配置され、磁性材料よりなり、前記回転磁石が取り付けられてなる円環状のバックヨークと
を具備し、
前記ディスク部と前記バックヨークとが前記バックヨークの少なくとも内周部と外周部とにおいて接合され、前記バックヨークの内周部における接合面積が外周部における接合面積よりも大きいディスク装置。
【請求項４】
主面上に磁気記録媒体層を有するディスク部および前記ディスク部の前記主面とは反対側の面に一体化された回転軸部からなる回転ディスクと、
前記回転ディスクを回転駆動させるステータおよび回転磁石と、
前記磁気記録媒体層のデータエリアに対応させて、前記ディスク部と部分的に接合されると共に、前記ディスク部の前記磁気記録媒体層の反対の面側に配置され、磁性材料よりなり、前記回転磁石が取り付けられてなる円環状のバックヨークと、
を具備し、
前記ディスク部と前記バックヨークとが前記バックヨークの少なくとも内周部と外周部とその中間部とにおいて接合され、前記中間部での接合面積が前記内周部および前記外周部の少なくともいずれか一方での接合面積よりも大きいディスク装置。
【請求項５】
前記回転磁石を前記バックヨークの内周部に配置し、前記バックヨークに前記回転軸部を嵌合した請求項１から請求項４のいずれかに記載のディスク装置。
【請求項６】
前記バックヨークの最外周接合点は弾性を有する接合部材により接合されている請求項１から請求項５のいずれかに記載のディスク装置。
【請求項７】
前記接合部材が粘着テープである請求項６に記載のディスク装置。
【請求項８】
前記接合部材は弾性体層とこの弾性体層の両面にそれぞれ一体化された接着層とからなる接合部材である請求項６に記載のディスク装置。
【請求項９】
前記バックヨークが前記磁気記録媒体層のデータエリア直下領域にわたって配置されている請求項１から請求項８のいずれかに記載のディスク装置。
【請求項１０】
前記バックヨークが分割され、前記ディスク部に接合される第一の円環状バックヨークとモータフレームに固定される第二の円環状バックヨークとにより構成された請求項１から請求項８のいずれかに記載のディスク装置。
【請求項１１】
ディスク状記録媒体と、
前記ディスク状記録媒体を駆動するモータと、
前記ディスク状記録媒体に記録再生する情報変換素子と、
前記情報変換素子を所定のトラック位置に位置決めする位置決め手段とを具備し、
前記モータが請求項１から請求項１０のいずれかに記載のディスク装置である磁気ディスク型情報記録再生装置。
【発明の詳細な説明】
【０００１】
【発明の属する技術分野】
本発明は、磁気ディスクを用いた情報記録再生装置とそのドライブ装置であるモータに関する。特に情報を高い密度で記録または再生することができる小型、薄型のディスク装置とその製造方法および磁気ディスク型情報記録再生装置に関する。
【０００２】
【従来の技術】
近年、磁気ディスクなどのディスク状記録媒体（以下、ディスクとよぶ）を用いたディスクドライブ装置は、携帯用情報機器などの分野での使用が検討されており、ディスクドライブ装置そのもの、さらにはそのモータの一層の小型化・薄型化が強く望まれている。
【０００３】
ディスクドライブ装置はヘッドを搭載したヘッドアーム部、ディスクを回転駆動させるためのモータ部および記録媒体を形成したディスク部より構成されている。モータ部はモータベースに固定されたステータ部と、回転軸と回転磁石を含むロータ部、および回転軸受け部によって構成されている。
【０００４】
このような要請に対して、ロータ部とディスク部を一体化した断面Ｔ字状のスピンドル部を有する磁気ディスク装置が提案されている（例：特開平７−３１２０６６号公報）。
【０００５】
【発明が解決しようとする課題】
ところで、ロータ部とディスク部とを一体化することによってディスク部の薄板化が可能となり、ディスクドライブ装置の薄型化は可能となるが、磁気ディスクを用いたディスクドライブ装置では次のような課題が発生する。すなわちディスク部を含むモータ部を薄型化してゆくと、ディスク部の磁気記録媒体面と回転磁石との距離が近づき、回転磁石からの磁束が磁気記録媒体に影響を与え、記録再生特性を劣化させるという課題が発生する。
【０００６】
一方、モータの磁束の影響を遮断する方策としてはバックヨークを設ける方法が考えられるが、バックヨークを設けることによってディスクドライブ装置の厚みが増加するという課題がある。
【０００７】
そこで、本発明は、磁気記録媒体への回転磁石からの磁束の影響がなく、薄型で磁気記録媒体面の平面性に優れた、特に磁気ディスク型情報記録再生装置の小型化・薄型化に好適なディスク装置とその製造方法の実現を図ることを目的とする。
【０００８】
【課題を解決するための手段】
上記課題を解決するため、本発明のディスク装置は、主面上に磁気記録媒体層を有するディスク部と、ディスク部とディスク部の主面とは反対側の面に一体化された回転軸部とからなる回転ディスクと、回転ディスクを回転駆動させるためのステータおよび回転磁石と、磁気記録媒体層のデータエリアに対応させて、ディスク部と部分的に接合されると共に、ディスク部の磁気記録媒体層の反対の面側に接合配置された磁性材料よりなる円環状のバックヨークと、バックヨークに取り付けられた回転磁石とを具備し、ディスク部とバックヨークとがバックヨークの少なくとも内周部と外周部とにおいて接合され、内周部での接合点数が外周部での接合点数よりも多い構成としている。
また、上記課題を解決するため、本発明のディスク装置は、主面上に磁気記録媒体層を有するディスク部と、ディスク部とディスク部の主面とは反対側の面に一体化された回転軸部とからなる回転ディスクと、回転ディスクを回転駆動させるためのステータおよび回転磁石と、磁気記録媒体層のデータエリアに対応させて、ディスク部と部分的に接合されると共に、ディスク部の磁気記録媒体層の反対の面側に接合配置された磁性材料よりなる円環状のバックヨークと、バックヨークに取り付けられた回転磁石とを具備し、ディスク部とバックヨークとがバックヨークの少なくとも内周部と外周部とその中間部とにおいて接合され、中間部での接合点数が内周部および外周部の少なくともいずれか一方での接合点数よりも多い構成としている。
また上記課題を解決するため、本発明のディスク装置は、主面上に磁気記録媒体層を有するディスク部と、ディスク部とディスク部の主面とは反対側の面に一体化された回転軸部とからなる回転ディスクと、回転ディスクを回転駆動させるためのステータおよび回転磁石と、磁気記録媒体層のデータエリアに対応させて、ディスク部と部分的に接合されると共に、ディスク部の磁気記録媒体層の反対の面側に接合配置された磁性材料よりなる円環状のバックヨークと、バックヨークに取り付けられた回転磁石とを具備し、ディスク部とバックヨークとがバックヨークの少なくとも内周部と外周部とにおいて接合され、バックヨークの内周部における接合面積が外周部における接合面積よりも大きい構成としている。
また上記課題を解決するため、本発明のディスク装置は、主面上に磁気記録媒体層を有するディスク部と、ディスク部とディスク部の主面とは反対側の面に一体化された回転軸部とからなる回転ディスクと、回転ディスクを回転駆動させるためのステータおよび回転磁石と、磁気記録媒体層のデータエリアに対応させて、ディスク部と部分的に接合されると共に、ディスク部の磁気記録媒体層の反対の面側に接合配置された磁性材料よりなる円環状のバックヨークと、バックヨークに取り付けられた回転磁石とを具備し、ディスク部とバックヨークとがバックヨークの少なくとも内周部と外周部とその中間部とにおいて接合され、前記中間部での接合面積が前記内周部および前記外周部の少なくともいずれか一方での接合面積よりも大きい構成としている。
さらに、回転磁石をバックヨークの内周部に配置し、バックヨークに回転軸部を嵌合した構成としている。
また更に、前記バックヨークの最外周接合点は弾性を有する接合部材により接合されている。
【０００９】
この構成により、回転軸とディスク部を一体化した回転ディスクとし、ディスク部と磁性材料よりなる円環状バックヨークとを接合配置しているため、ディスク部を薄板化してモータを薄型にした場合でも、磁気記録媒体層に対する外部磁界の影響を遮断することが可能となり、記録再生特性に優れた薄型のディスク駆動用のモータとすることが可能となる。
【００１０】
さらに、回転磁石をバックヨークの内周部に配置し、バックヨークに回転軸部を嵌合した構成としているため、バックヨークの内周部でバックヨークがラジアル方向に変化するのを抑制し、円環状バックヨークに接合された回転磁石の位置精度を高めることができる。その結果、安定的な回転が実現できる。
【００１１】
さらに、ディスク部とバックヨークとを部分的に接合された構成としており、ディスク材料と円環状バックヨーク材料の熱膨張率が異なっても、製造時の接合プロセスや運転動作時などの周囲温度変化に対しても、ディスク部の変形が抑制され、優れた磁気記録再生特性が得られる。
【００１２】
さらに、バックヨークの内周部の接合点数を外周部の接合点数よりも多くしているため、バックヨーク内周部ではバックヨークのラジアル方向への変化を抑制し、バックヨーク外周部ではバックヨークの伸縮が可能となる。そのため、製造時の接合プロセスや運転動作時などの周囲温度変化に対しても、ディスク部の変形が抑制される。
【００１３】
さらに、バックヨークの内周部の接合面積を外周部の接合面積よりも大きくしているため、バックヨーク内周部ではバックヨークのラジアル方向への変化を抑制し、バックヨーク外周部では伸縮が可能となる。そのため、製造時の接合プロセスや運転動作時などの周囲温度変化に対しても、ディスク部の変形が抑制される。
【００１４】
さらに、バックヨークの最外周接合点は弾性を有する接合部材により接合された構成としているため、製造時の接合プロセスや運転動作時などの周囲温度変化によってバックヨーク外周部に発生する歪みを、弾性を有する接合部材の弾性的なせん断によって吸収し、ディスク部の変形を抑制する。
【００１５】
さらに、本発明の磁気ディスク型情報記録再生装置は、ディスク状記録媒体と、ディスク状記録媒体を駆動するモータと、ディスク状記録媒体に記録再生する情報変換素子と、情報変換素子を所定のトラック位置に位置決めする位置決め手段とを具備し、モータが前述のディスク装置である構成としている。
【００１６】
この構成により、磁気記録媒体層を有するディスク部の歪みがなく、なおかつモータの磁石による磁気記録媒体層への影響がない、小型・薄型で記録再生特性に優れたディスクドライブ装置を実現できる。
【００１７】
【発明の実施の形態】
以下、本発明の実施の形態について、図面を用いて説明する。
【００１８】
図１は、本発明の実施の形態のディスク装置を説明するための概略断面図である。図２は図１におけるディスク部と円環状バックヨーク部および回転磁石よりなる回転子の概略を示し、図２（ａ）は概略断面図、図２（ｂ）は下部平面図である。図３（ａ）（ｂ）はディスク部とバックヨーク部との接合点の具体例を示す平面図、図４（ａ）（ｂ）は回転軸部と円環状バックヨークとの寸法関係を示す断面図、図５（ａ）（ｂ）（ｃ）は接合方式の違いによるそれぞれ接合点での接合状況を示す詳細断面図、図６は本発明の実施の形態における円環状バックヨークを分割したディスク装置を説明するための概略断面図である。
【００１９】
図１において、回転中心１の軸方向に垂直な平面２に情報記録媒体層としての磁気記録媒体層３が形成されたディスク部４と、平面２の反対側に円柱状の回転軸部５が一体化されて回転ディスク６が構成されている。一体化の方法としては、例えばガラス、液晶ポリマー、或いはポリフェニレンサルファイド（ＰＰＳ）などの熱可塑性材料を用いて一体成型する方法や、インサート成形、接着剤による接着、或いは熱融着などの方法を用いて接合により一体化することなどで可能である。回転ディスク６の磁気記録媒体層３の反対側の面７には、磁性材料よりなる円環状のバックヨーク８が設けられている。このバックヨーク８は磁気記録媒体層３のデータエリアと等しいかまたはそれ以上の面積を有する。バックヨーク８の内周部にはバックヨーク部材９を介して、複数磁極に着磁された回転磁石１０がリング状に配置され接着などにより固着されている。この回転ディスク６、バックヨーク８、バックヨーク部材９、および回転磁石１０とが一体になって回転子１１を構成している。
【００２０】
一方、回転ディスク６の回転軸部５の外周面に対して微小な隙間１２を有するように配置した軸受けスリーブ１３と軸受けスリーブ１３に固着されたスラストプレート１４とから軸受け部１５が構成され、モータフレーム１６に固定されている。なお、この軸受け部１５の隙間部分には潤滑材が充填されている。さらに、モータフレーム１６には、回転磁石１０に対向するように珪素鋼板、焼結軟磁性フェライトや焼結鉄系合金などの軟磁性材料で作製されたリング状の吸引板１７が配設されている。
【００２１】
また、珪素鋼板を積層した鉄心コア１８に、この鉄心コア１８を取り巻くように複数のコイル１９が巻かれてステータ２０が構成されている。このステータ２０は圧入或いは接着などの方法によりモータフレーム１６に固着されている。
【００２２】
図２（ａ）（ｂ）には、図１の回転子１１の断面図と下部平面図を示している。
【００２３】
バックヨーク部材９を介して回転磁石１０が接合された円環状バックヨーク８はディスク部４の磁気記録媒体層３が形成されている面と反対側の面７に複数の接合点２１で接合固定されている。図２（ｂ）に示すように、接合点２１は回転子１１の内周部と外周部に部分的に設けられ、内周部では接合点数を多くし、外周部では接合点数を内周部より少なくなるように構成している。ディスク部４は厚みＤ１が約０．２５ｍｍのガラスなどの円盤状成型体であり、バックヨーク８の厚みＤ２が約０．０５〜０．１ｍｍのＳＵＳ４３０の金属薄板であり、バックヨーク部材９はＳＵＳ４１６などの金属バルク材料である。またディスク部４とバックヨーク８との接合厚みは数十μｍであり、接着剤として本実施の形態では、熱硬化性のエポキシ系材料を用いている。また、本実施の形態でのディスク部４の外形は約２１．６ｍｍであり、磁気記録媒体層３のデータエリアは内径が約８ｍｍ、外径が約１８．４ｍｍの円環状の範囲であった。したがって、バックヨーク８の内径寸法は少なくとも８ｍｍ以下、同じく外径は少なくとも１８．４ｍｍ以上としている。
【００２４】
図３（ａ）（ｂ）は円環状のバックヨーク８の接合面に形成される接合点形状と接合点数を示す具体例であり、図３（ａ）では内周部接合点２２の接合面積を外周部接合点２３の接合面積よりも大きくしている。図３（ｂ）ではバックヨーク８の内周部接合点２２と外周部接合点２３との間にさらに部分的な中間部接合点２４を設けている。なお、本実施の形態では、接合点を内周部、外周部、さらにその間の同心円上に設ける構成としているが、ディスクの歪みを考慮して自由に設定が可能であり、例えば図３（ｂ）に示すように、中間部接合点２４のピッチＰ３を内周部接合点２２のピッチＰ１と外周部接合点２３のピッチＰ２よりも小さくする時に、ディスク４の変形をもっとも良く抑制することができた。
【００２５】
このようにして、回転軸部５とディスク部４とが一体化された回転ディスク６に、バックヨーク８を接合し、その後、図２に示すようにバックヨーク８の内周部にバックヨーク部材９を介して回転磁石１０を接合して回転子１１を完成させる。
【００２６】
図４には、バックヨーク８と回転軸部５との寸法関係を示している。図４（ａ）はバックヨーク８の内周部寸法Ｄｂを回転軸部５の段つきフランジ部２５の外形寸法Ｄｆより大きくし、組み立ての際に寸法裕度を持たせた構成である。この場合には、バックヨーク８はその内周部で接合点２６によってディスク部４に接合されている。一方、図４（ｂ）はバックヨーク８の内周部寸法Ｄｂと段つきフランジ部２５の外形寸法Ｄｆとをほぼ同じにして、中間嵌めなどの嵌合によって固定した場合である。このように、嵌合によってバックヨーク８と回転軸部５とを固定すると、バックヨーク８の内周部近傍では、半径方向への寸法変化が回転軸部５に抑制されるため、バックヨーク８の内周部近傍に設けられた回転磁石１０の位置精度が保証され、回転の安定性が得られる。このように、嵌合によって固定した場合には、バックヨーク８の外周部、中間部で接合点２７によってディスク部４と接合している。
【００２７】
このようにして、回転軸部５、ディスク部４、バックヨーク８を一体化し、その後バックヨーク部材９を介して回転磁石１０を円環状バックヨーク８に接合して回転子１１を形成する。その後、ステータ２０などを備えたモータフレーム１６の軸受け部１５に回転軸部５を嵌め合わせてディスク装置を完成させる。
【００２８】
さらに、図５（ａ）（ｂ）（ｃ）には上記の各接合点での接合方法について示している。すなわち、図５（ａ）は前述の熱硬化性のエポキシ系樹脂接着剤２８で接着した場合であり、ディスク部４の面とバックヨーク８の面とは接着面に対するどの方向、すなわちディスク部４の面のラジアル方向とそれに垂直方向のいずれに対しても固定的であり、図２あるいは図３において内周部または中間部の接合に用いている。図５（ｂ）はディスク部４の面と円環状バックヨーク８の面とを粘着テープ２９で接合した場合について示しており、ディスク部４の面と垂直の方向３０には固定的であるが、ディスク部４のラジアル方向を含む面内のせん断方向３１にはそれぞれの変位を許容する。また、図５（ｃ）は図５（ｂ）と同様であるが、図５（ａ）に示すエポキシ系樹脂接着剤２８の間に弾性体３２を設けて、図５（ｂ）と同様の作用効果に加え、落下衝撃を緩衝する効果をも発現する。この接合方式は、図２、図３あるいは図４において中間部や外周部の接合に用いている。
【００２９】
図６には、円環状のバックヨークを分割し、ディスク部に接合した第一の円環状バックヨークとモータフレームに固定した第二の円環状バックヨークとにより構成された実施の形態を示す。図１と同一構成要素は同一符号を付す。
【００３０】
図において、図１と異なるのは、バックヨークが分割されて、第一の円環状バックヨーク３３と第二の円環状バックヨーク３４に構成されている。第一の円環状バックヨーク３３は前述のバックヨーク８と同様の構成であるが、磁気記録媒体層３のデータエリアの一部に対して外部磁界を遮蔽する役目を負い、残りのデータエリアに対しては第二の円環状バックヨーク３４がその役目を負っている。第二の円環状バックヨーク３４はモータフレーム１６に固定されている。
【００３１】
このような構成とすることにより、接合によるディスク部４の変形をより小さくすることも可能であり、記録再生特性に優れたディスク装置とすることも可能である。またこの場合には、ディスク部４と第一の円環状バックヨーク３３とを全面接着することも可能であるし、または回転軸部５の段つきフランジ部２５との嵌合だけで固定することも可能である。
【００３２】
本実施の形態によれば、回転軸とディスク部を一体化した回転ディスクとし、ディスク部と磁性材料よりなる円環状バックヨークとを接合配置しているため、ディスク部を薄板化してモータを薄型にした場合でも、磁気記録媒体層に対する外部磁界の影響を遮断することが可能となり、記録再生特性の優れた薄型のモータとすることが可能となる。
【００３３】
熱硬化性のエポキシ系樹脂接着剤などの熱プロセスを伴う接着プロセスを用いて、薄板のガラス製ディスク部４に熱膨張率の異なる薄板金属板であるバックヨーク８を接合する場合には、両者を全面接着すると接着硬化後の降温過程で両者の熱膨張率差により歪みを生じる。特に本実施の形態ではディスク部４のガラス厚みが０．２５ｍｍと小さいため、磁気記録媒体層３を凸形状とした歪みが生じ、磁気ヘッド（図示せず）との間隔がディスク部４の外周部で大きくなり記録再生特性が劣化する。しかしながら、本実施の形態によれば、ディスク部４とバックヨーク８とを部分的に接合し、さらにディスク部４の内周部では接合点数を密とし、外周部で接合点数を疎としている。そのため、上述の降温過程で発生する歪みを外周部で吸収することが可能となる。その結果、ディスク部４の磁気記録媒体層３が凸形状になる現象が発生せず磁気記録再生特性を劣化させることがない。
【００３４】
さらに、本実施の形態によれば、バックヨーク８の内周部を回転軸部５と嵌合によって固定する方式とし、外周部のみをを部分的に接着する構成としている。その結果、内周部では半径方向への変位が回転軸部５によって規制され、回転磁石１０の位置精度が確保される。したがって、安定した回転が得られる。
【００３５】
なお、バックヨークの接合点数および接合場所は、使用材料や厚みにより任意に設定が可能である。
【００３６】
また、本実施の形態では、接合面に対してどの方向でも固定的である接合方法と、せん断方向と垂直の圧縮方向にはそれぞれの変位を許容する接合方法とを接合部位によって異ならせている。特に外周部において、粘着テープ２９や内部に弾性体３２を挟持した接着部材を用いると、ディスク部４の歪みがより小さくなるとともに耐衝撃性が向上する。
【００３７】
さらに、バックヨーク８を回転軸部５に嵌合する方式で、なおかつ外周部を粘着テープ２９などで接合する方式とすると、ディスク部４とバックヨーク８とは熱プロセスが不要な接合とすることができるとともに、磁気ディスク型情報記録再生装置として使用中の周囲温度環境の影響による磁気記録媒体面の歪みも抑えることが可能となる。また、これらの結果、ディスク部４の厚みをさらに小さくし、より薄型のディスク装置とすることが可能となる。
【００３８】
このように、本実施の形態により製造した回転子１１を用いてディスク装置を構成すると、磁気記録媒体層３への回転磁石１０、ステータ２０からの磁束の影響を排除し、なおかつ磁気記録媒体層３の面精度が確保できるために、高密度記録が可能で薄型のモータが実現可能となる。
【００３９】
さらに、このディスク装置を用いて磁気ディスク型情報記録再生装置を構成すると、高密度記録が可能な小型で薄型の磁気ディスク型情報記録再生装置を実現できる。
【００４０】
【発明の効果】
以上のように本発明によれば、磁気記録媒体層を形成したディスク部と回転軸部とを一体化し、磁気記録媒体層のデータエリアに対応する円環状バックヨークをディスク部に部分的に固定し、回転磁石をバックヨークに固定して回転子を形成している。
そして、バックヨークとディスク部とを部分的に接合すると共に、ディスク部とバックヨークとがバックヨークの少なくとも内周部と外周部とにおいて接合され、内周部での接合点数が外周部での接合点数よりも多い構成としている。
またはディスク部とバックヨークとがバックヨークの少なくとも内周部と外周部とその中間部とにおいて接合され、中間部での接合点数が内周部および外周部の少なくともいずれか一方での接合点数よりも多い構成としている。
またはディスク部とバックヨークとがバックヨークの少なくとも内周部と外周部とにおいて接合され、バックヨークの内周部における接合面積が外周部における接合面積よりも大きい構成としている。
またはディスク部とバックヨークとがバックヨークの少なくとも内周部と外周部とその中間部とにおいて接合され、前記中間部での接合面積が前記内周部および前記外周部の少なくともいずれか一方での接合面積よりも大きい構成としている。
さらに、回転磁石をバックヨークの内周部に配置し、バックヨークに回転軸部を嵌合した構成としている。
【００４１】
この結果、外部磁界の影響を遮断するとともに、ディスク部の変形を抑え、磁気記録媒体層の平面精度を確保することで記録再生特性を向上させることができる。また、回転子は薄型の部材を張り合わせることで形成しているため薄型のディスク装置として好適である。
【００４２】
また、本発明によれば、円環状バックヨークの内周を回転軸部に嵌合しているため、回転磁石の位置精度を確保することができ、モータ回転の安定性を確保する効果が大である。
【００４３】
さらに、このようなディスク装置を用いると、記録再生特性に優れた薄型の磁気ディスク型情報記録再生装置が得られるという効果を有する。
【図面の簡単な説明】
【図１】本発明の実施の形態におけるディスク装置主要部を説明するための概略断面図
【図２】（ａ）は本発明の実施の形態におけるディスク装置の回転子の概略断面図
（ｂ）は本発明の実施の形態におけるディスク装置の回転子の下部平面図
【図３】（ａ）は本発明の実施の形態における円環状バックヨークの内周部と外周部に設けられる接合点の形状と数の具体例を示す平面図
（ｂ）は本発明の実施の形態における円環状バックヨークに設ける接合点を内周部、外周部とその中間にも設けた具体例を示す平面図
【図４】（ａ）は本発明の実施の形態における円環状バックヨークの内周径が回転軸部の外周径より大きい場合の回転子の概略断面図
（ｂ）は本発明の実施の形態における円環状バックヨークの内周を回転軸部に嵌合した場合の回転子の概略断面図
【図５】（ａ）は熱硬化のエポキシ系樹脂接着剤を用いて接合した接合部の断面図
（ｂ）は粘着テープを用いて接合した接合部の断面図
（ｃ）は弾性体を挟む接着剤で接合した接合部の断面図
【図６】本発明の実施の形態におけるディスク部に接合した第一の円環状バックヨークとモータフレームに固定した第二の円環状バックヨークとにより構成したディスク装置主要部の概略断面図
【符号の説明】
１  回転中心
２  平面
３  磁気記録媒体層
４  ディスク部
５  回転軸部
６  回転ディスク
８  バックヨーク
９  バックヨーク部材
１０  回転磁石
１１  回転子
１２  隙間
１３  軸受けスリーブ
１４  スラストプレート
１５  軸受け部
１６  モータフレーム
１７  吸引板
１８  鉄心コア
１９  コイル
２０  ステータ
２１，２６，２７  接合点
２２  内周部接合点
２３  外周部接合点
２４  中間部接合点
２５  段つきフランジ部
２８  エポキシ系樹脂接着剤
２９  粘着テープ
３２  弾性体
３３  第一の円環状バックヨーク
３４  第二の円環状バックヨーク
【図１】
0004195964.tif 000002
【図２】
0004195964.tif 000003
【図３】
0004195964.tif 000004
【図４】
0004195964.tif 000005
【図５】
0004195964.tif 000006
【図６】
0004195964.tif 000007